(57)【要約】【課題】回転ドラム上に搭載されたロータリートランスにおいて、信号クロストークを増加させることなく、多チャンネル化を可能とした回転磁気ヘッド型記録再生装置を提供する。【解決手段】回転ドラム１と、固定ドラムと、ロータリートランスとを有する回転磁気ヘッド型記録再生装置において、ロータリートランスは、記録用信号が伝送される複数個の記録信号用ロータリートランス７０１と、再生時にのみ選択される再生用磁気ヘッドの出力信号が伝送される複数個の再生信号用ロータリートランス８０１と、記録時及び再生時に選択される複数個の再生信号用ロータリートランス８０４とを有し、記録信号用ロータリートランス７０１と再生時にのみの再生信号用ロータリートランス８０１とが隣接して配置される。【選択図】        図１
2004199821.tif 000002
【特許請求の範囲】
【請求項１】
２個以上の記録用磁気ヘッドと、２個以上の再生用磁気ヘッドと、前記記録用ヘッドに記録電流を供給する記録電流供給回路及び前記再生用磁気ヘッドの出力信号を増幅する再生増幅回路を備えた回路基板とを搭載した回転ドラムと、これに対向する固定ドラムと、前記ドラム間の信号伝送を行うロータリートランスとを有し、前記記録用磁気ヘッドで磁気テープ上に情報信号を記録するとともに、前記再生用磁気ヘッドで再生する回転磁気ヘッド型記録再生装置において、
前記ロータリートランスは、記録用信号が伝送される複数個の記録信号用ロータリートランスと、再生時にのみ選択される再生用磁気ヘッドの出力信号が伝送される複数個の再生信号用ロータリートランスと、記録時及び再生時に選択される再生用磁気ヘッドの出力信号が伝送される複数個の再生信号用ロータリートランスとを有し、前記記録信号用ロータリートランスと再生時にのみ選択される再生用磁気ヘッドの出力信号が伝送される再生信号用ロータリートランスとが隣接して配置されることを特徴とする回転磁気ヘッド型記録再生装置。
【請求項２】
請求項１記載の回転磁気ヘッド型記録再生装置において、
上記記録信号が伝送される複数個の記録信号用ロータリートランスと、再生時にのみ選択される再生用磁気ヘッドの出力信号が伝送される複数個の再生信号用ロータリートランスとが交互に隣接して配置されることを特徴とする回転磁気ヘッド型記録再生装置。
【請求項３】
請求項１又は２に記載の回転磁気ヘッド型記録再生装置において、
上記記録時及び再生時に選択される再生用磁気ヘッドの出力信号が伝送される複数個の再生信号用ロータリートランス間にショートリングを設けることを特徴とする回転磁気ヘッド型記録再生装置。
【請求項４】
請求項１記載の回転磁気ヘッド型記録再生装置において、
上記回転ドラムは、磁気テープを約１８０°分巻き付けるとともに、複数個の記録用ヘッドで構成された第１の記録ヘッドアセンブリと、該第１の記録ヘッドアセンブリと異なるアジマス角度を有し複数個の記録用ヘッドで構成された第２の記録ヘッドアセンブリとを、回転ドラム上の１８０°対向位置に取り付けるとともに、複数個の再生用磁気ヘッドで構成された第１の再生ヘッドアセンブリと、該第１の再生ヘッドアセンブリと異なるアジマス角度を有し複数個の再生用磁気ヘッドで構成された第２の再生ヘッドアセンブリとを、回転ドラム上の１８０°対向位置に取り付けることを特徴とする回転磁気ヘッド型記録再生装置
【請求項５】
請求項４記載の回転磁気ヘッド型記録再生装置において、
上記第１、第２の再生ヘッドアセンブリがそれぞれ１チップ構成の磁気抵抗効果ヘッドであることを特徴とする回転磁気ヘッド型記録再生装置。
【請求項６】
請求項４記載の回転磁気ヘッド型記録再生装置において、
上記第１、第２の記録ヘッドアセンブリがそれぞれ１チップ構成の薄膜磁気ヘッドであることを特徴とする回転磁気ヘッド型記録再生装置。
【発明の詳細な説明】
【０００１】
【発明の属する技術分野】
本発明は、回転磁気ヘッド型記録再生装置であり、ディジタル情報信号などを磁気抵抗効果型ヘッド（Ｍａｇｎｅｔｏ
Ｒｅｓｉｓｔｉｖｅヘッド、以下ＭＲヘッドと記す）にて再生する装置、特に回転ドラム上に搭載された複数個の薄膜型記録ヘッド、および複数個のＭＲヘッドを動作させる複数個の記録再生集積回路の入出力端子に接続される多チャンネルロータリートランスに関する。
【０００２】
【従来の技術】
近年、磁気テープを使用した回転ヘッド型の高密度記録再生装置においては、高転送レート化を図るために回転ドラム上に搭載する記録ヘッド、再生ヘッドの総数を増す傾向にある。また大容量化という目的に対しては、ＭＲヘッドを採用し、線記録密度を上げる方法が検討されている。
【０００３】
ＭＲヘッドは、記録媒体である磁気テープ、磁気ディスクから入力する磁気情報信号を抵抗変化で検出するため、検出用の電流（センス電流）の供給が必要となる。また、この抵抗変化は入力磁界に対して非線形特性を持つため、ＭＲヘッドの動作点を直線性の良い領域に制御するバイアス電流が必要となる。近年のＭＲヘッドはこれらの電流（以下合わせて、「バイアス電流」と記す。）を併用するように設計されている。
【０００４】
この高感度特性をもつＭＲヘッドは、ハードディスク装置、リニアドライブテープ装置に代表される高密度磁気記録再生装置に広く採用されているが、回転ヘッド型の磁気記録再生装置においては、回転ドラム上に搭載するＭＲヘッドにバイアス電流の供給および制御が必要となるため、まだ本格的な実用化は進んでいない状況にある。
【０００５】
回転側への電源供給に関しては、複数チャンネルで構成されるロータリートランス内に設けた電源用トランスにより、電力伝送を行う方法が取られるようになってきた。しかし、この電源用トランスは信号用トランスに近接して配置されるため、大振幅スイッチングによる電源スイッチングノイズが微弱信号伝送を行うチャンネルに飛び込み、系のエラーレートを悪化させるという問題を生じる。したがって両ロータリートランス間にショートリングを挿入して、電源用ロータリートランスから信号ロータリートランスへのクロストーク低減が行われる（たとえば特許文献１参照）。
【０００６】
【特許文献１】
特開平１０−２３３０１３公報（第６〜７頁、図７）
【０００７】
【発明が解決しようとする課題】
一方、高転送レート化を図るためにヘッドの多チャンネル化を実現するためには、使用するロータリートランスの溝数（チャンネル数）を増す必要があるが、チャンネル間の距離が十分取れなくなり、信号ロータリートランス間のクロストークが問題になる。特に、テープストリーマ装置などの同時記録再生機能を有した回転ヘッド型の磁気記録再生装置においては、記録信号と再生信号が同時にロータリートランス内を伝送されることになるため、記録信号から再生信号へ、または１チャンネルの再生信号が他チャンネルの再生信号へ飛び込み、系のエラーレートを悪化させる。このクロストークを低減するためには、各ロータリートランスチャンネル間に前述したショートリングを入れる必要があるが、ロータリートランスは回転ドラムに内蔵されるため、外径、内径ともに制限を受け、チャンネル数が増すほど製作が困難となってくる。
【０００８】
本発明の目的は、回転ドラム上に搭載されたロータリートランスにおいて、信号クロストークを増加させることなく、多チャンネル化を可能とした回転磁気ヘッド型記録再生装置を提供することにある。
【０００９】
【課題を解決するための手段】
上記目的を達成するため、本発明は、２個以上の記録用磁気ヘッドと、２個以上の再生用磁気ヘッドと、前記記録用ヘッドに記録電流を供給する記録電流供給回路及び前記再生用磁気ヘッドの出力信号を増幅する再生増幅回路を備えた回路基板とを搭載した回転ドラムと、これに対向する固定ドラムと、前記ドラム間の信号伝送を行うロータリートランスとを有し、前記記録用磁気ヘッドで磁気テープ上に情報信号を記録するとともに、前記再生用磁気ヘッドで再生する回転磁気ヘッド型記録再生装置において、前記ロータリートランスは、記録用信号が伝送される複数個の記録信号用ロータリートランスと、再生時にのみ選択される再生用磁気ヘッドの出力信号が伝送される複数個の再生信号用ロータリートランスと、記録時及び再生時に選択される再生用磁気ヘッドの出力信号が伝送される複数個の再生信号用ロータリートランスとを有し、前記記録信号用ロータリートランスと再生時にのみ選択される再生用磁気ヘッドの出力信号が伝送される再生信号用ロータリートランスとが隣接して配置される回転磁気ヘッド型記録再生装置である。
【００１０】
また、本発明は、上記記録信号が伝送される複数個の記録信号用ロータリートランスと、再生時にのみ選択される再生用磁気ヘッドの出力信号が伝送される複数個の再生信号用ロータリートランスとが交互に隣接して配置される回転磁気ヘッド型記録再生装置である。
【００１１】
そして、本発明は、上記記録時及び再生時に選択される再生用磁気ヘッドの出力信号が伝送される複数個の再生信号用ロータリートランス間にショートリングを設ける回転磁気ヘッド型記録再生装置である。
【００１２】
また、本発明は、上記回転ドラムは、磁気テープを約１８０°分巻き付けるとともに、複数個の記録用ヘッドで構成された第１の記録ヘッドアセンブリと、該第１の記録ヘッドアセンブリと異なるアジマス角度を有し複数個の記録用ヘッドで構成された第２の記録ヘッドアセンブリとを、回転ドラム上の１８０°対向位置に取り付けるとともに、複数個の再生用磁気ヘッドで構成された第１の再生ヘッドアセンブリと、該第１の再生ヘッドアセンブリと異なるアジマス角度を有し複数個の再生用磁気ヘッドで構成された第２の再生ヘッドアセンブリとを、回転ドラム上の１８０°対向位置に取り付ける回転磁気ヘッド型記録再生装置である。
【００１３】
更に、本発明は、上記第１、第２の再生ヘッドアセンブリがそれぞれ１チップ構成の磁気抵抗効果ヘッドである回転磁気ヘッド型記録再生装置である。
【００１４】
また、本発明は、上記第１、第２の記録ヘッドアセンブリがそれぞれ１チップ構成の薄膜磁気ヘッドである回転磁気ヘッド型記録再生装置である。
【００１５】
本発明においては、記録時には上記記録ヘッドアセンブリで記録した直後に、前記再生ヘッドアセンブリ中から選択された複数個の前記再生用磁気ヘッドで再生し、再生時には記録時よりも低速で前記磁気テープを走行させ、前記再生ヘッドアセンブリ中のすべての再生用磁気ヘッドにより、前記磁気テープに記録された信号を再生することが好ましい。
【００１６】
【発明の実施の形態】
本発明の実施の形態を説明する。
以下、本発明の回転磁気ヘッド型記録再生装置の実施形態について、図１〜図４を用いて説明する。図１は、実施形態１の回転磁気ヘッド型装置のブロック図である。図２は、図１におけるＭＲヘッドのヘッド配置の一例を示す図である。図３は、図１における記録ヘッドのヘッド配置の一例を示す図である。図４は、実施形態１に使用するロータリートランスの一例を示す図である。
【００１７】
実施形態１を詳細に説明する。図１は本発明による回転磁気ヘッド型装置の一実施形態を示すブロック図である。図１において、１は回転ドラム、２０１〜２０６は記録ヘッド、３０１〜３１２はＭＲヘッド、４０１〜４０６は記録再生集積回路、５は発振回路、６はデコーダ、７０１〜７０３は記録データ用ロータリートランス、８０１〜８０６は再生信号用ロータリートランス、９は制御信号用ロータリートランス、１０１、１０２はロータリートランス、１１１〜１１６はバッファアンプ、１２は制御データ生成回路、１３１〜１３３は記録データ生成回路、１４１〜１４６は再生系信号処理回路、１５１〜１５３はショートリングである。
【００１８】
回転ドラム１上に１８０°対向で６個のＭＲヘッド３０１〜３０６と６個のＭＲヘッド３０７〜３１２が取り付けられており、ドラム回転方向に概略１８０°巻き付けられた磁気テープ（図示せず）に記録された信号を読み取る。記録ヘッドはアジマス角度＋Ａｚの３個の記録ヘッド２０１〜２０３、アジマス角度−Ａｚの３個の記録ヘッド２０４〜２０６を１８０°対向で配置し、さらに記録ヘッド２０１〜２０３、記録ヘッド２０４〜２０６、アジマス角度＋ＡｚのＭＲヘッド３０１〜３０６、アジマス角度−ＡｚのＭＲヘッド３０７〜３１２をそれぞれ９０°間隔で配置している。
【００１９】
図２に本実施形態で使用するＭＲヘッドのテープ摺動面側から見たヘッド配置の一例を示す。図２において、６個のＭＲヘッド３０１〜３０６は２個ずつインライン状にアジマス角度＋Ａｚを与えられて３列に並べられ、同様に６個のＭＲヘッド３０７〜３１２は２個ずつインライン状にアジマス角度−Ａｚを与えられて３列に並べられたマルチギャップ（マルチトラックヘッド）構造となっている（以下、複数のヘッドを１チップ上に構成したものを「ヘッドアセンブリ」と記す）。
【００２０】
このように１チップ上に薄膜プロセスで形成された６個のＭＲヘッド３０１〜３０６は、数１０μｍ〜数１００μｍの近接した位置に配置されるため、ＭＲ素子深さ（ＭＲハイト）の値を等しく加工でき、６ヘッドともほとんど同一の磁気特性を持たせることができる。これはＭＲヘッド３０７〜３１２で構成されるヘッドアセンブリについても同様である。
【００２１】
図３に本実施形態で使用する記録ヘッドのテープ摺動面から見たヘッド配置の一例を示す。図３の記録ヘッドは薄膜プロセスで生成され、３個の記録ヘッド２０１〜２０３が３列にアジマス角度＋Ａｚを与えられて並べられ、また、３個の記録ヘッド２０４〜２０６が３列にアジマス角度−Ａｚを与えられたヘッドアセンブリとなっている。
【００２２】
記録ヘッドの場合、前述したＭＲヘッドのＭＲハイトと同様、ヘッド特性に影響を及ぼすのはギャップデプス（ギャップ深さ）であるが、このように薄膜プロセスで１チップ内に複数の記録ヘッドを生成した場合には前述したＭＲヘッドと同様、各記録ヘッドでギャップデプスの値を等しく加工でき、特性バラツキの少ないヘッドアセンブリを得ることができる。
【００２３】
図１において、記録再生集積回路４０１〜４０６は２チャンネルの記録回路およびＭＲヘッド用の２チャンネルの再生アンプを備え、Ｄａｔａ、Ｃｌｏｃｋ、ＣＳ、Ｒ／Ｗ（記録再生切換）の４本の制御ラインで動作モードが制御される。制御機能はたとえば、ヘッド（アンプ）切換スイッチ、ＭＲヘッドバイアス電流設定、再生アンプゲイン設定、ＭＲヘッド特有のサーマルアスペリティノイズ（ＴＡ：ＴｈｅｒｍａｌＡｓｐｅｒｉｔｙ ｎｏｉｓｅ）の検出、補正、記録電流値の設定などであり、あらかじめその機能に対応するレジスタを選択して制御データを書き込み、その動作状態、値を決定する。
【００２４】
固定側と回転側のデータ伝送を行うロータリートランス１０１には、記録データ用ロータリートランス７０１〜７０３、再生信号用ロータリートランス８０１〜８０３、ロータリートランス１０２には、再生信号用ロータリートランス８０４〜８０６、制御信号用ロータリートランス９、ショートリング１５１〜１５３を備えている。
【００２５】
記録時には、記録データ生成回路１３１〜１３３から出力されたデータ信号は、記録データ用ロータリートランス７０１〜７０３、Ｒ／Ｗラインによって記録モードに設定された記録再生集積回路４０１〜４０３、記録ヘッド２０１〜２０３、２０４〜２０６を介して＋アジマス、−アジマスデータトラックが磁気テープ上に記録される。この時、ＭＲヘッド３０２、３０４、３０６が記録ヘッド２０１〜２０３で記録された＋アジマスデータトラックを、ＭＲヘッド３０８、３１０、３１２が記録ヘッド２０４〜２０６で記録された−アジマスデータトラックを即再生し、記録データの信頼性を高める動作（チェックアフターライト機能）を行えるよう、記録ヘッド２０１〜２０３、２０４〜２０６に対してＭＲヘッド３０２、３０４、３０６、ＭＲヘッド３０８、３１０、３１２のヘッド高さが調整されているとともに、記録再生集積回路４０４〜４０６を常に再生モードに設定している。以上は、ＭＲヘッド３０２、３０４、３０６、３０８、３１０、３１２を同時再生用ＭＲヘッドとして使用する例について説明したが、これはＭＲヘッド３０１、３０３、３０５、ＭＲヘッド３０７、３０９、３１１の組み合わせであってもかまわない。
【００２６】
再生時には、記録再生集積回路４０１〜４０３をＲ／Ｗラインによって再生モードに設定する。ＭＲヘッド３０１〜３０６、３０７〜３１２のヘッドアセンブリは１８０°対向位置に設けられているため、ＭＲヘッド３０１（＋Ａｚアジマス）、３０７から再生された信号（−Ａｚアジマス）は、１８０°毎に交互に記録再生集積回路４０１で増幅された後、再生信号用ロータリートランス８０１を介して、固定側のバッファアンプ１１１、再生系信号処理回路１４１に伝送される。以下、ＭＲヘッド３０２〜３０６（＋Ａｚアジマス）、３０８〜３１２から再生された信号（−Ａｚアジマス）は、同様に記録再生集積回路４０２〜４０６、再生信号用ロータリートランス８０２〜８０６、バッファアンプ１１２〜１１６、再生系信号処理回路１４２〜１４６に伝送される。バッファアンプ１１１〜１１６としては、ベース接地回路のような低入力インピーダンス回路で構成する。
【００２７】
この再生時には、記録時のテープ送り速度に対してわずかに遅いテープ速度（０．９５倍程度）に設定し、ＭＲヘッド３０１〜３０６、３０７〜３１２の相互ヘッド高さ調整値を１トラックピッチ相当に設定することにより、特別なトラッキング制御を必要とせず、すべての記録データを１２個のＭＲヘッドを使用して、読み取れることを可能としている（以下、この再生方法を「ノントラッキング方式」と記す）。そのために６個の記録ヘッド２０１〜２０６に対してＭＲヘッド３０１〜３１２は２倍の１２個が必要となる。
【００２８】
また、前述したように記録再生集積回路４０１〜４０６は、Ｄａｔａ、Ｃｌｏｃｋ、ＣＳ、Ｒ／Ｗの４種類のディジタル信号で制御され、再生時にはヘッド切換スイッチ、ＭＲヘッドバイアス電流値など、記録時にはヘッド切換スイッチ、記録電流値などが上記４種のディジタル信号で制御される。これらの制御用データは制御データ生成回路１２によって生成され、１チャンネルの制御信号用ロータリートランス９を介してデコーダ６に伝送される。デコーダ６では、この情報データに対する記録再生集積回路４０１〜４０６用の制御データを生成し、上記４種の制御ラインによって制御する。これらのデータ出力信号はデコーダ６に接続された発振回路５の発振クロックで生成される。発振回路５の発振周波数は、使用する記録再生集積回路４０１〜４０６の種類、数によっても異なるがおよそ２０〜３０ＭＨｚを選択する。また、デコーダ６は一般的なディジタル集積回路で構成すればよく、また動作速度が装置制御に適応できれば、汎用のマイクロコンピュータで構成してもよい。
【００２９】
本構成により、回転ドラム１上に搭載された各ＭＲヘッド３０１〜３１２のバイアス電流を独立に調整できる。また、同様に記録ヘッド２０１〜２０６の記録電流設定値を各ヘッド独立して調整できる。
【００３０】
図４に、本発明に使用するロータリートランスの一実施形態を示す。図４において１５０はショートリング、１６は電源用ロータリートランスである。
【００３１】
本実施形態では、前述したように再生時はノントラッキング方式を適用する。したがって記録時には、チェックアフターライト再生用のＭＲヘッド３０２、３０４、３０６、ＭＲヘッド３０８、３１０、３１２が記録ヘッド２０１〜２０３、記録ヘッド２０４〜２０６と同時に動作する。そのため、これらに対応する記録用ロータリートランス７０１〜７０３、再生信号用ロータリートランス８０４〜８０６は互いの信号クロストークを防止するため、隣り合わないように配置する必要がある。
【００３２】
これに対し、再生時には前述したノントラッキング方式により、ＭＲヘッド３０１〜３０６、ＭＲヘッド３０７〜３１２が同時に動作するので、これらに対応するロータリートランス８０１〜８０６もそれぞれ隣接しないように配置されなければならない。たとえば直径４７ｍｍの回転ドラムを考えた場合、ロータリートランスに許される外径は４０ｍｍ程度であるから、そこに記録データ用３個、再生信号用６個、電源、制御信号２個、計１１個のロータリートランスを形成するのは困難であるので、ロータリートランス１０１とロータリートランス１０２の２ピース構成とした。
【００３３】
本実施形態では図１、図４に示したようにロータリートランスを配列している。すなわち、ロータリートランス１０１には、チェックアフターライト時に同時に動作しない記録信号用ロータリートランス７０１、７０２、７０３と、再生専用のＭＲヘッド３０１、３０３、３０５、３０７、３０９、３１１の出力信号が伝送されるロータリトランス８０１、８０２、８０３とを交互に隣接して配置した。またロータリートランス１０２には、チェックアフターライト時に動作するＭＲヘッド３０２、３０４、３０６、３０８、３１０、３１２用のロータリートランス８０４、８０５、８０６と、制御信号用ロータリートランス９、電源用ロータリートランス１６を設け、これらは常に同時に動作するため、それぞれのチャンネル間にショートリング１５０、１５１、１５２、１５３を挿入した。
【００３４】
本構成により、ヘッド数が計１８個の装置においてもチャンネル間クロストークが少なく、ロータリートランス間に挿入するショートリング数をロータリートランス１０２における４個にでき、装置の小型化、低コスト化が実現できる。また、ロータリートランス１０１においては、記録時には再生信号用ロータリートランス８０１、８０２、８０３をトランジスタスイッチなどでショートすることにより、記録データ用ロータリートランス７０１、７０２、７０３間のクロストークをさらに低減できる。同様に再生時には記録データ用ロータリートランス７０１、７０２、７０３をトランジスタスイッチなどでショートすることにより、再生信号用ロータリートランス８０１、８０２、８０３間のクロストークをさらに低減できる。
【００３５】
本実施形態では、電源用ロータリートランス１６、制御信号用ロータリートランス９をロータリートランス１０２側に設けたが、これはロータリートランス１０１側であってもかまわない。
【００３６】
以上はロータリートランスとして平板型のものについて述べたが、これは同軸型であっても良いし、平板型と同軸型の組み合わせでも良い。また、再生ヘッドもＭＲヘッドで説明しているが、これも従来のコイルヘッドでも良い。
【００３７】
以上、本実施形態のロータリートランスチャンネル配置により、ヘッド数が増した装置においてもチャンネル間クロストークが少なく、ロータリートランス間に挿入するショートリング数を最小限にでき、装置の小型化、低コスト化が実現できる。
【００３８】
【発明の効果】
本発明によれば、回転ドラム上に搭載されたロータリートランスにおいて、信号クロストークを増加させることなく、多チャンネル化を可能とした回転磁気ヘッド型記録再生装置を得ることができる。
【図面の簡単な説明】
【図１】実施形態１の回転磁気ヘッド型装置のブロック図。
【図２】図１におけるＭＲヘッドのヘッド配置の一例を示す図。
【図３】図１における記録ヘッドのヘッド配置の一例を示す図。
【図４】実施形態１に使用するロータリートランスの一例を示す図。
【符号の説明】
１  回転ドラム
２０１〜２０６  記録ヘッド
３０１〜３１２  ＭＲヘッド
４０１、４０２  記録再生集積回路
５  発振回路
６  デコーダ
７０１〜７０３  記録データ用ロータリートランス
８０１〜８０６  再生信号用ロータリートランス
９  制御信号用ロータリートランス
１０  ロータリートランス
１１１〜１１６  バッファアンプ
１２  制御データ生成回路
１３１〜１３３  記録データ生成回路
１４１〜１４６  再生系信号処理回路
１５０〜１５６  ショートリング
１６  電源用ロータリートランス
【図１】
2004199821.tif 000003
【図２】
2004199821.tif 000004
【図３】
2004199821.tif 000005
【図４】
2004199821.tif 000006